(57)【特許請求の範囲】
【請求項１】
多本数連結された釘、ねじ等の止具を収納するマガジンを備えた打込機において、
打込機を垂直に保持するためのガイド部材が、ベース部、ベース部上面に起立する係止壁、係止壁の上部からベース部上面と水平に屈曲して延びる弾性的に変形可能な薄板状のコの字形の腕部、腕部の先端で外側へ出張った係止部とを有し、係止部の両端寸法より小さい幅の矩形空間を形成し、腕部を弾性的に変形させながらの挿入を可能としてマガジン底面に設けられたガイド取付け部とを備え、ガイド部材をマガジン底面に着脱可能としたことを特徴とする打込機の姿勢安定装置。
【請求項２】
多本数連結された釘、ねじ等の止具を収納するマガジンを備えた打込機であって、
打込機を垂直に保持するためのガイド部材が、ベース部、ベース部上面に起立する係止壁、係止壁の上部からベース部上面と水平に屈曲して延びる弾性的に変形可能な薄板状のコの字形の腕部、腕部の先端で外側へ出張った係止部とを有し、係止部の両端寸法より小さい幅の矩形空間を形成し、腕部を弾性的に変形させながらの挿入を可能としてマガジン底面に設けられたガイド取付け部とを備え、ガイド部材をマガジン底面に着脱可能としたことを特徴とする打込機。
【発明の詳細な説明】
【０００１】
【発明の属する技術分野】
本発明は釘、ねじ等の止具を打込む打込機本体の姿勢を安定に保持した状態で止具の打込みが出来るようにした打込機の姿勢安定装置に関するものである。
【０００２】
【従来の技術】
打込機は、一般的に止具を被打込材に対して垂直に打込むことが要求される。特に、石膏ボードに対する止具の打込み施工の場合、止具が石膏ボード面に対し傾斜して打込まれると、止具の頭部が石膏ボード表面の紙質部を破断し、止具による保持力を低下させる原因となる。
【０００３】
そこで、打込機本体を被打込材に対してほぼ垂直に近い状態で安定に保持して打込みが出来るようにする打込み姿勢安定装置が提案されている。
【０００４】
姿勢安定装置はマガジン底面に装着されるのが都合が良いが、作業状況によっては、マガジンの下方へ突出する姿勢安定装置がかえって邪魔になる場合もある。例えば、被打込材の面上に凸障害物があり、姿勢安定装置が凸障害物に接触し打込みが出来ない場合などである。従って、姿勢安定装置は必要に応じて着脱可能になっていることが望ましい。
【０００５】
以下、従来の着脱可能な姿勢安定装置をマガジン底面に設けた打込機について図７〜図９を用いて説明する。
【０００６】
打込機本体１は、駆動部である出力部５、止具６の打出し部である射出部７、止具６の打出しを制御するスイッチ部８、止具６を射出部７内へ給送する止具送り部９、多本数の止具６を収納するマガジン部１０等から構成されている。
【０００７】
マガジン底面２には、下方へ突出した円筒状のガイド取付け部３が形成され、ガイド取付け部３の下端面２９の中央に上方に向けて、取付けボルト２１用の雌ねじ２２が立てられている。一方、ほぼ円筒形状をしたガイド部材４の下端面２３から上方に途中まで開口部２４が設けられ、開口部２４の上面２５からガイド部材４の上端面２６まで取付けボルト２１のねじ外径よりやや大きい貫通穴２７が形成されている。
【０００８】
図９はガイド部材４を取付けボルト２１によってマガジン底面２のガイド取付け部３へ装着した状態を示す。
【０００９】
この場合、ガイド部材４の下端面２３と、射出部７の先端部とを被打込材２８に当接させると、射出部７は被打込材２８に対して垂直の姿勢に保持される。この状態でスイッチ部８を操作し出力部５を駆動させると、止具６は射出部７から被打込材２８に対して垂直に打込まれる。一方、被打込材２８に凸障害物があり、ガイド部材４が接触する等により邪魔になる場合は、棒スパナ、ドライバ等で取付けボルト２１を緩めてガイド部材４を取り外して使用する。
【００１０】
【発明が解決しようとする課題】
従来の着脱可能な姿勢安定装置をマガジン底面に設けた打込機では、次の問題があった。
【００１１】
取付けボルト２１によってガイド部材４を取り付け、取り外しする構造であるため、着脱する毎に、取付けボルト２１を締め付けたり、緩めたりするための工具を必要とすると共に手間がかかり面倒であった。
【００１２】
また、ガイド取付け部３に設ける雌ねじ２２の長さは、取付けボルト２１との必要嵌合長さの関係から一般に、ねじ外径の１．５〜２倍必要となり、それに相当する分、ガイド取付け部３のマガジン部下方への突出量が必要となる。従って、ガイド部材４が邪魔になりガイド部材４を取り外した後も、ガイド取付け部３が被打込材２８の凸障害物に依然、接触し操作性が悪かった。
【００１３】
本発明の目的は、上記した従来の姿勢安定装置を備えた打込機の欠点を改善し、工具を使わずにガイド部材を簡単に着脱可能にすると共にガイド取付け部のマガジン部下方への突出量を少なくして、ガイド部材を取り外して使用する際に操作性の良い打込機の姿勢安定装置を提供することである。
【００１４】
【課題を解決するための手段】
上記した目的は、ベース部、ベース部上面に起立する係止壁、係止壁の上部からベース部上面と水平に屈曲して延びる弾性的に変形可能な薄板状のコの字形の腕部、腕部の先端で外側へ出張った係止部とを有するガイド部材と、係止部の両端寸法より小さい幅の矩形空間を形成し、腕部を弾性的に変形させながらの挿入を可能としてマガジン底面に設けられたガイド取付け部とを備え、ガイド部材をマガジン底面に着脱可能とすることにより達成される。
【００１５】
【発明の実施の形態】
以下一実施形態を示す図面を参照して本発明を説明する。図１は打込機本体１のマガジン底面２に形成されたガイド取付け部３０にガイド部材４０を装着した状態を示す。駆動部である出力部５、止具６の打出し部である射出部７、止具６の打出しを制御するスイッチ部８、止具６を射出部７内へ給送する止具送り部９、多本数の止具６を収納するマガジン部１０等の構成は上記した従来の打込機と同じである。
【００１６】
図２に示すように、ガイド部材４０は、樹脂等により一体成形されており、ベース部１１の上面１２の一端から起立した係止壁１３の上部からベース部１１の上面１２と水平に、屈曲して延びる薄板状の腕部１４を形成している。腕部１４の中央は開口され、内側（図２中、矢印方向）に弾性的に変形できるようにしている。腕部１４の厚さは強度上２ｍｍ程度にしている。腕部１４の両先端部には、外側に出張った係止部１５が形成され、腕部１４の幅（Ｌ１）＜係止部１５の幅（Ｌ２）の関係になっている。
【００１７】
一方、ガイド取付け部３０は、図３、図４に示すように、マガジン底面２に設けられ、両側壁１６と底壁１７によって、矩形空間１８を形成している。矩形空間１８の横幅（Ｌ３）は、腕部１４の幅（Ｌ１）より大きく、係止部１５の幅（Ｌ２）より小さく設定しており、腕部１４の幅（Ｌ１）＜矩形空間１８の横幅（Ｌ３）＜係止部１５の幅（Ｌ２）の関係になっている。矩形空間１８の縦幅（Ｈ）は、ガイド部材４の腕部１４が挿入可能な最小寸法にしている。底壁１７の厚さは２ｍｍとしている。従って、ガイド取付け部３０がマガジン底面２から突出する量（Ｓ）は４ｍｍ程度になっている。
【００１８】
以上の構成において、ガイド部材４０をガイド取付け部３０に取り付け、取り外しする時の状態を、図５、図６に示す。ガイド部材４０を挿入する際、係止部１４の幅（Ｌ２）より矩形空間１８の横幅（Ｌ３）が小さいため、腕部１４は内側へ弾性的に変形しながら挿入されていく。更にガイド部材４０を挿入して行き、ガイド部材４０の係止壁１３がガイド取付け部３０の前方壁１９に突き当たった位置では、係止部１５はガイド取付け部３０の両側壁１６を通過して、両側壁１６から腕部１４が受ける内側への変形が開放され復元する（図６）。この状態になると、係止部１５の幅（Ｌ２）は矩形空間１８の横幅（Ｌ３）より大きいため、係止部１５がガイド取付け部３の後方壁２０に係止し、ガイド部材４０は抜け出すことがない。以上で、ガイド部材４０の取り付けが完了する。ガイド部材４０を取り外しするする場合は、係止部１５の両端をつまんで腕部１４を内側へ変形させてから引き抜けば、簡単に取り外せる。
【００１９】
【発明の効果】
以上のように本発明によれば、ガイド部材のガイド取付け部への挿入部を、弾性的に変形可能な薄板状のものとし、かつ、ガイド取付け部の矩形空間の横幅を、ガイド部材の係止部幅より小さくしたので、工具を使う必要がなく、簡単にガイド部材の取り付け、取り外しが出来、更には、ガイド取付け部のマガジン底面からの突出量を少なく出来るので、ガイド部材を取り外して使用する際に、ガイド取付け部が障害物に接触する等の不便さを少なくし、操作性が向上する。
【図面の簡単な説明】
【図１】本発明姿勢安定装置を設けた打込機の一実施形態を示す側面図。
【図２】本発明を構成するガイド部材の一実施形態を示す斜視図。
【図３】ガイド部材を取り外した場合の本発明打込機を示す側面図。
【図４】図３のＡ−Ａ線断面図
【図５】ガイド取付け部材へのガイド部材の取り付け状態を示す上面図。
【図６】ガイド部材の取り付け完了状態を示す上面図。
【図７】従来の姿勢安定装置を設け、ガイド部材を取り外した打込機の一例を示す側面図。
【図８】図７のガイド部材を示す断面図。
【図９】従来の姿勢安定装置を設けた打込機を示す側面図。
【符号の説明】
１は打込機本体、２はマガジン底面、３、３０はガイド取付け部、４、４０はガイド部材、６は止具、１１はベース部、１３は係止壁、１４は腕部、１５は係止部、１８は矩形空間である。
【図１】
0003807165.tif 000002
【図２】
0003807165.tif 000003
【図３】
0003807165.tif 000004
【図４】
0003807165.tif 000005
【図５】
0003807165.tif 000006
【図６】
0003807165.tif 000007
【図７】
0003807165.tif 000008
【図８】
0003807165.tif 000009
【図９】
0003807165.tif 000010